(57)【要約】【課題】給水ライン（１２）に接続されるように構成され、給水ラインを介して供給される水を処理するために互いに接続された少なくとも２つのフィルタヘッド（１８）を含み、フィルタヘッドの少なくとも１つが、取替え可能なフィルタボウル（２０）を収容する、フィルタヘッドアセンブリを提供する。【解決手段】このアセンブリは、入口ポート（２４）と、出口ポート（２６）と、これらのポートと流通状態にある中央チャンバ（２８）と、チャンバと流通状態にあるボウル接続開口（３０）とを有する少なくとも１つのヘッドハウジング（２２）を備える。ポート（２４，２６）の各々は、ヘッドハウジング（２２）が、それぞれのコネクタ（３２）および／または継手（３４）に対して旋回可能であるように、管状コネクタ（３２）およびエンドプラグ継手（３４）の１つに旋回可能に接続される。
2005518934.tif 000002
【特許請求の範囲】
【請求項１】
給水ラインに接続されるように構成され、給水ライン（１２）を介して供給される水を処理するために互いに接続された少なくとも２つのフィルタヘッド（１８）を含み、前記フィルタヘッド（１８）の少なくとも１つが、取替え可能なフィルタボウル（２０）を収容する、フィルタヘッドアセンブリであって、
入口ポート（２４）と、出口ポート（２６）と、前記ポート（２４，２６）と流通状態にある中央チャンバ（２８）と、前記チャンバと流通状態にあるボウル接続開口（３０）とを有する少なくとも１つのヘッドハウジング（２２）を備え、
前記ポート（２４，２６）の各々が、前記ヘッドハウジング（２２）が、前記それぞれのコネクタ（３２）および／または継手（３４）に対して旋回可能であるように、管状コネクタ（３２）およびエンドプラグ継手（３４）の１つに旋回可能に接続される、アセンブリ。
【請求項２】
前記ポート（２４，２６）の少なくとも１つを前記コネクタ（３２）および前記継手（３４）の１つに固定するための固定手段（３６）を更に含む、請求項１に記載のアセンブリ。
【請求項３】
前記固定手段（３６）が、前記コネクタおよび前記継手上に少なくとも１つの固定具溝（５８）を含み、前記各ポートには、組立て時に前記溝と位置合わせされる少なくとも１つの固定具孔（４４）と、前記ポートを前記コネクタまたは前記継手に旋回可能に取り付け、前記ポートおよび前記コネクタまたは前記継手が相対的に横方向に移動しないように、前記孔を介して前記溝と係合するように構成された少なくとも１つの固定具とを有する外壁がある、請求項２に記載のアセンブリ。
【請求項４】
前記固定具が、ばねクリップ（６８）である、請求項３に記載のアセンブリ。
【請求項５】
前記固定手段が、前記コネクタまたは前記継手に対して前記出口を保持する半径方向の圧縮力をかけるための少なくとも１つのクランプ（９０）を含む、請求項２に記載のアセンブリ。
【請求項６】
前記クランプに、前記ハウジングを固定するために基部を与えるためのブラケット（８０）が設けられる、請求項５に記載のアセンブリ。
【請求項７】
前記ブラケット（８０）が、壁への取付け用に構成される、請求項６に記載のアセンブリ。
【請求項８】
前記各ポートが、半径方向に延在するエンドフランジ（４２）を有し、前記少なくとも１つのクランプが、隣接するポートの前記フランジと係合し、前記コネクタの周りで前記ポートを引き合わせるように構成される、請求項５に記載のアセンブリ。
【請求項９】
前記プラグ継手（３４）が、給水ライン（１２）と螺合するために一端で螺装される、請求項１に記載のアセンブリ。
【請求項１０】
前記コネクタ（３２）および前記プラグ継手（３４）が、前記ハウジング（２２）の前記対応するポートに密封接続される、請求項１に記載のアセンブリ。
【請求項１１】
前記継手（３４）および前記コネクタ（３２）には、少なくとも１つのＯリングを受け入れるように構成された少なくとも１つのシール溝が設けられる、請求項１０に記載のアセンブリ。
【請求項１２】
前記ヘッドハウジング（２２）が、ＲＯユニットおよびＵＶバルブの少なくとも１つを受け入れるように構成される付属ポート（５０）を更に含む、請求項１に記載のアセンブリ。
【請求項１３】
前記付属ポート（５０）の周りに環状シールを密封して位置決めするように構成されたシール保持部（１０２）を更に含む、請求項１２に記載のアセンブリ。
【請求項１４】
前記隣接するハウジング（２２）が、工具を使用することなく、前記管状コネクタ（３２）および少なくとも１つのばねクリップ（６８）によってのみ密封固定される、請求項１に記載のアセンブリ。
【請求項１５】
フィルタボウル（２０）に配置されたフィルタ媒体に生水の供給部を接続するためのフィルタヘッドであって、
入口ポート（２４）と、出口ポート（２６）と、前記ポートと流通状態にある中央チャンバ（２８）と、前記チャンバ（２８）と流通状態にあるボウル接続開口（３０）とを有するヘッドハウジング（２２）を備え、
前記ヘッドハウジング（２２）が、前記ボウル接続開口へアクセスするために前記それぞれのコネクタ（３２）および／または継手（３４）に対して旋回可能なように、前記ポート（２４，２６）の各々が、エンドプラグ継手（３４）に旋回可能に接続され、
支持体（８０）が、壁上で前記ハウジングを支持するために、前記各ポートに対して動作関係に設けられる、フィルタヘッド。
【請求項１６】
前記各エンドプラグ継手（３４）が、少なくとも１つの固定具溝（５８）と、少なくとも１つのシール溝と、給水ライン（１２）用の接続点とを含む、請求項１５に記載のフィルタヘッド。
【請求項１７】
前記各ポート（２４、２６）が、少なくとも１つの固定具開口（４４）と、前記継手を前記ポートに固定するために前記開口を介して前記少なくとも１つの固定具溝（５８）と係合するように構成された固定具（６８）を更に含む外壁を含む、請求項１６に記載のフィルタヘッド。
【請求項１８】
前記支持体（８０）が、前記ポート（２４，２６）と前記継手（３４）を間に挟むように構成されたクランプ（９０）およびブラケット（８０）を含む、請求項１５に記載のフィルタヘッド。
【請求項１９】
前記各ポート（２４，２６）が、半径方向に延在するエンドフランジ（４２）を有し、前記クランプ（９０）が、前記フランジと係合しそれを捕獲するように構成される、請求項１８に記載のフィルタヘッド。
【発明の詳細な説明】
【技術分野】
【０００１】
本発明は、一般的に、水処理デバイスに関し、特に、飲料水の処理用または飲物への組込み用に、レストラン、ホテル、学校、住宅などの商業施設において使用される水処理デバイスに関する。
【背景技術】
【０００２】
商業施設において、飲料原料に生水を混ぜてソフトドリンクやジュースを提供する場合、少なくとも１つの処理またはフィルタユニットを組み込んだ水処理システムを設けることが一般的である。給水は、典型的に、活性炭を含むが、これに限定されるものではないフィルタ媒体に導入され、および／または、フィルタ、逆浸透（ＲＯ）またはナノ濾過（ＮＦ）膜を通過する。本出願の目的のために、「フィルタリング」は、フィルタリングに限定されない他のタイプの処理を意味するように理解され、フィルタリングと処理は、交換可能に使用される。処理動作は、飲料水とその飲料水から作られる飲物の味を高め統一するために実行される。飲料製造業者の中には、許可された飲料製品の配合で使用されている給水に一定レベルの処理を要求するものもある。
【０００３】
これらの市販のシステムは、典型的に、給水供給部内に配管された少なくとも１つのフィルタヘッドと、少なくとも１つの取替え可能なフィルタカートリッジまたは媒体を含むフィルタボウルを含むため、システムは、媒体またはカートリッジの定期的な取替えを実行できるように職員が容易にアクセス可能な位置に設置されなければならない。しかしながら、空間の利用可能性は、このような施設では貴重なものである場合が多く、これは、処理システムの潜在的な位置を制限してしまう。
【０００４】
更に、従来の水処理システムは、典型的に、システムのすべてのユニットによって給水が処理されるように直列に互いに接続された複数のフィルタユニットを伴う。これらのシステムは、一般に、従来のプラスチックまたは金属製の螺装された配管を用いて配管され、専門職の配管工が設置する必要がある場合が多い。また、システムの修正や修理は、典型的に、このような熟練者によって行われなければならない。
【０００５】
このタイプの従来のフィルタシステムの別の欠点は、現在一般的であるように、螺装されたプラスチック管を用いて、フィルタヘッドが給水ラインおよび／または隣接するフィルタヘッドに接続される場合、設置中および／または修理中、継手を締め付けすぎる傾向があることである。この締付け手順の間、ヘッドやコネクタニップルに亀裂が入ることは珍しいことではなく、亀裂が入ると、ヘッド全体および／またはコネクタ継手を取り替える必要がある。これは、高価で時間を消費する動作である。また、亀裂が検出されなければ、ユニットが漏洩することがあり、施設で水による被害が生じてしまう可能性がある。
【０００６】
関連する欠点は、従来の螺装された管接続を使用するには、ヘッドの取外しや取替えを行うためのパイプレンチやペンチを使用できる十分な隙間を与える位置にシステムを取り付ける必要があることである。この要求により、別の密集した施設へのシステムの配置に別の制限が加わってしまう。
【０００７】
また、このような処理システムの製造業者は、多くの場合、異なるフィルタリング能力を備えた様々なシステムを提供している。システムには、ＲＯユニットを含むが、これに限定されるものではない更なるフィルタリングまたは処理技術や、紫外線（ＵＶ）供給源からの照射が必要なものがある。製造効率を高めるために、利用可能な処理技術の範囲を単一のヘッドまたは制限された数のヘッド構成に組み込むことが可能であることが望ましい。
【０００８】
このタイプの従来のフィルタシステムの別の欠点は、システムを壁に取り付けるために、比較的高価な型打ちされた金属ブラケットが使用されている場合が多いことである。これらのブラケットは、典型的に、支持ガセットおよび機械加工された固定開口を含み、組立て時間およびコストが更にかかってしまう。
【０００９】
【特許文献１】米国特許第５，２２１，４７３号明細書
【発明の開示】
【発明が解決しようとする課題】
【００１０】
したがって、施設への取付けがより効率的かつ容易であり、修理や取替えが容易なフィルタヘッドシステムが必要とされている。このような修理は、工具を使用することなく達成可能であることが望ましい。更に、ヘッドの多用性を高めるために、様々な処理技術に任意に対応できるフィルタヘッドハウジングが必要とされている。
【００１１】
本発明の第１の目的は、フィルタボウルの間隔やレンチの間隔の必要性を考慮せずに、壁に容易に取り付けられる改良されたフィルタヘッドアセンブリを提供することである。
【００１２】
本発明の別の目的は、熟練者以外の人によって、好ましくは、工具を使用せずに組立て可能な改良されたフィルタヘッドアセンブリを提供することである。
【００１３】
本発明の更なる目的は、フィルタに隣接したフィルタヘッド間に螺装されたコネクタを用いることなく設置される改良されたフィルタヘッドアセンブリを提供することである。
【００１４】
本発明の更なる目的は、上記に挙げた目的を組み合わせ、ヘッドハウジングが様々な処理技術を含むように適応可能である改良されたフィルタヘッドアセンブリを提供することである。
【００１５】
本発明の更なる別の目的は、上記に挙げた目的を含み、比較的安価な壁取付け用ブラケットを用いる改良されたフィルタヘッドアセンブリを提供することである。
【課題を解決するための手段】
【００１６】
上記に挙げた目的は、単一または複数のフィルタ組合せにおいて使用するように構成されたフィルタヘッドハウジングを特徴とする本発明の回転フィルタヘッドアセンブリによって満たされ、または達成される。本発明のフィルタヘッドの主な利点は、それが、供給（入口）および処理済み（出口）給水ラインによって典型的に規定される水平軸の周りで回転可能なことである。本発明の別の特徴は、一実施形態において、工具を使用することなく、この構成の隣接するヘッドを組み合わせて、密封された流通状態に配置可能なことである。望ましければ、組立て中、工具を伴う壁支持ブラケットが与えられてよい。本発明のフィルタアセンブリの更なる別の特徴は、ヘッドハウジングが、上述した他の利点または特徴を損なうことなく、ＲＯユニットまたはＵＶバルブを含む補充的な処理デバイスに任意に対応できることである。
【００１７】
更に詳しく言えば、本発明により、給水ラインに接続されるように構成され、給水ラインを介して供給される水を処理するために互いに接続された少なくとも２つのフィルタヘッドを含み、フィルタヘッドの少なくとも１つが、取替え可能なフィルタボウルを収容する、フィルタヘッドアセンブリが提供される。このアセンブリは、入口ポートと、出口ポートと、これらのポートと流通状態にある中央チャンバと、チャンバと流通状態にあるボウル接続開口とを有する少なくとも１つのヘッドハウジングを含む。ポートの各々は、ヘッドハウジングが、それぞれのコネクタおよび／または継手に対して旋回可能であるように、管状コネクタおよびエンドプラグ継手の１つに旋回可能に接続される。
【００１８】
別の実施形態において、フィルタボウルに配置されたフィルタ媒体に生水の供給部を接続するためのフィルタヘッドが、入口ポートと、出口ポートと、ポートと流通状態にある中央チャンバと、チャンバと流通状態にあるボウル接続開口とを有するヘッドハウジングを含む。ポートの各々は、ヘッドハウジングが、ボウル接続開口へアクセスするためにそれぞれのコネクタおよび／または継手に対して旋回可能なように、エンドプラグ継手に旋回可能に接続される。支持体が更に含まれ、支持体は、壁上でハウジングを支持するために、各ポートに対して動作関係に設けられる。
【発明を実施するための最良の形態】
【００１９】
以下、図１〜図３を参照すると、本発明のフィルタヘッドアセンブリは、概して参照番号１０で示されており、飲用に適したものにするために給水を処理したり、ソフトドリンクやジュースなどの飲料にしたりするために、給水ライン１２に接続するように構成されることが好ましい。このシステム１０は、典型的に、給水ライン１２の部分間に直列に接続されることによって、給水ライン１２は、供給入口ライン１４と処理済ライン１６とを含む。
【００２０】
システム１０は、一般的に、給水ライン１２と流通状態にある少なくとも１つのフィルタヘッド１８と、フィルタ媒体を保持するように構成され、フィルタヘッド１８に取外し可能に接続されるように構成された少なくとも１つのフィルタボウル２０とを含む。螺合接続として示しているが、差込みラグ接続、カムロック、および他の知られている取付け技術が考えられる。フィルタボウル２０が、活性炭、フィルタ繊維、炭素繊維ブロック、ＲＯ膜、ＮＦ膜、ＵＶ処理システム、または他の知られている処理技術を含むが、これらに限定されるものではない少なくとも１つの様々なフィルタまたは処理媒体を含み得ることが考えられる。
【００２１】
従来のフィルタヘッドが、給水ライン１２および隣接するフィルタヘッドにしっかりと固定されるのに対して、本発明の重要な特徴は、ヘッド１８が、給水ライン１２および隣接するヘッドに対して回転可能または旋回可能なことである。更に詳しく言えば、この利点は、入口ポート２４と、出口ポート２６と、これらのポートと流通状態にある中央チャンバ２８とを有するフィルタヘッドハウジング２２を設けることによって達成される。ポート２４、２６の流れパターン／機能（入口／出口）は、用途、処理システム、媒体のタイプに応じて変更されてよいと考えられる。ボウル２０は、チャンバ２８の底部でヘッドハウジング２２によって規定されたボウル接続開口３０と流通状態にある。
【００２２】
回転作用は、管状コネクタ３２およびエンドプラグ継手３４の１つに旋回可能に接続されることで、それぞれのコネクタおよび／または継手に対してヘッドハウジング２２が旋回または回転できるようにされたポート２４、２６の各々によって達成される。この回転作用の利点は、壁上でのシステム１０の位置に関係なく、ボウル２０および／またはボウル接続開口３０へのアクセスが行われることである。
【００２３】
更に詳しく言えば、ポート２４、２６の各々には、第１の直径を有する固定部分３６と、好ましくは、固定部分３６より小さい第２の直径を有する密封部分３８が設けられる。固定部分の外端部４０が、半径方向に突出したフランジ４２を有する。更に、少なくとも１つの、好ましくは、４つの固定孔４４（図３）の各々の形状が、矩形状または正方形であることが好ましい。しかしながら、孔４４の数、位置、および形状は、用途に合わせて変更されてよい。
【００２４】
当業者に知られているように、出口ポート２６からの放出前に確実に給水処理されるように、出口ポートには、概して「Ｌ」字状の分割導管４６が設けられ、または、Ｌ字継手が設けられる。分割導管４６は、一般に、管または導管（図示せず）を介して、フィルタ媒体の基部と流通状態に配置される。したがって、フィルタ媒体を通過し、したがって、処理が済んだ流入水は、媒体の底部に集まり、分割導管４６内へおよび出口ポート２６外へ通過するために管によって集められる。このタイプの流体フィルタの動作は、当業者によく知られており、特定の媒体および流れ方向（上方への流れまたは下方への流れ）は、用途に合わせて変更されてよい。また、上方または下方への流れの向きを決定すると、入口または出口ポートとしてのポート２４、２６の指定が決定される。
【００２５】
本発明のアセンブリ１０の別の特徴は、下側縁部４８が、傾斜をつけた楔形またはナイフの刃形を形成するように構成されることである。この構成により、あるタイプのフィルタ媒体配置との密封係合が容易になる。本発明のアセンブリ１０の更なる別の特徴は、フィルタヘッドハウジング２２が、任意の二次製造動作によって開口されれば、ＲＯユニット、ＵＶライトバルブ、または他の同等の技術などの補助的なフィルタリングまたは処理デバイスを収容できる任意の上側アクセスポート５０を有することである。このようなオプションの詳細については、以下に更に詳細に記載する。
【００２６】
以下、図２および図３を参照すると、上述したように、ポート２４、２６の各々が、管状コネクタ３２とエンドプラグ継手３４の１つの旋回可能に接続されることで、ヘッドハウジング２２が、それぞれのコネクタおよび／または継手に対して旋回または回転できるようにされている。複数のフィルタヘッド２２が、互いに隣接して配置されるとき、管状コネクタ３２を用いて接続される。図示した例において、この接続は、第１のヘッドハウジング２２の出口ポート２６でなされる。管状コネクタ３２は、隣接するヘッドハウジング２２間を流通状態にするように構成された中央軸貫通孔５４を有する概して円筒状の本体５２を含む。
【００２７】
正面から見た場合、図３に示すように、両端に、外側密封部分５６と内側固定部分５８とを有する管状コネクタ３２は、対称的である。２つの固定部分５８は、中央部分６０によって分離され、その寸法は、用途に合わせて変更されてよい。しかしながら、本発明のシステム１０の利点は、管状コネクタ３２を使用することによって、隣接するフィルタヘッドハウジング２２が、従来技術の螺装された管コネクタを用いて以前可能であったものよりも近接して取り付けられる可能性があるということである。このようにして、より近接して取り付けることで、本発明のシステム１０によって占められる施設内の空間の量が低減する。したがって、中央部分６０は、可能な限り軸方向に短いものであることが好ましい。
【００２８】
更に詳しく言えば、密封部分５６は、少なくとも１つの少なくとも１つ、好ましくは、２つのＯリング６２を収容するためのＯリングまたはシール溝を形成するように形作られる。同じ溝５６に２つのＯリング６２を配置すると、この装置の密封品質が高まることが分かっている。Ｏリング６２が好ましいが、コネクタ３２またはそれぞれのポート２４、２６の対応する密封部分３８に成形されたリップシールまたはシール隆起部を含むが、これらに限定されるものではない他の同等の密封技術が使用されてよいことも考えられる。また、当業者によく知られているように、接合部を密封するために、ボウル２０とボウル接続開口３０との間に少なくとも１つのＯリング６２が位置することが好ましい。
【００２９】
管状コネクタ３２の両端にある固定部分５８は、固定具部分３６の外壁６４に位置する対応する固定具孔４４の１つを貫通する細長い固定具を受け入れるための少なくとも１つの固定具溝を形成するように構成される。システム１０を組み立てると、固定具孔４４は、対応する固定具溝５８と位置合わせされる。好適な実施形態において、孔４４の各々は、概して「Ｕ」字状の固定具ばねクリップ６８（図２）の好ましくは２つの細長い脚部６６の対応する１つを受け入れるように構成される。脚部６６は、孔４４を貫通し、固定具溝５８と係合して、ヘッドハウジング２２が、管状コネクタ３２に対して横方向または軸方向に移動しないようにする。同時に、溝５８に脚部６６を係合することで、固定された固定具ばねクリップ６８および関連付けられたポート２６が、コネクタ３２の周りを旋回または回転できるようになる。管状コネクタ３２とポート２６との間の密封関係は、Ｏリング６２によってこの旋回作用中に維持される。
【００３０】
固定具ばねクリップ６８の「Ｕ」字形状の利点は、各クリップに２つの脚部６６があることで、各クリップの固定能力が増し、更に、クリップの基部７０により、工具を使用せずにクリップの設置または取外しができるように把持しやすくなることである。したがって、隣接するヘッドハウジング２２を固定するために、対応する出口および入口ポート２６、２４を整列させて配置し、コネクタが対応するポートに係合するように、ハウジング間に管状コネクタ３２を配置し、溝５６に必要なＯリング６２を供給し、対応する孔４４内にクリップ６８を差し込むだけでよい。典型的に、各ポート２４、２６には１つのクリップ６８があり、コネクタ３２につき２つのクリップがある。しかしながら、クリップ６８または他の固定具の数、構造、および配列は、用途に合わせて変更されてよい。したがって、隣接するユニットの組立ては、工具を使用せずに達成可能である。
【００３１】
ヘッドハウジング２２の数が決定されると、その結果得られるハウジングのアセンブリは、エンドプラグ継手３４によって給水ライン１２に固定される。管状コネクタ３２と異なり、エンドプラグ継手３４は、対称的ではなく、外側密封部分５６と、管状コネクタ３２の一端と同一のものである内側固定部分５８とを有する一端７２しか有していない。このように、エンドプラグ継手３４は、管状コネクタ３２に関して上述したものと同じ方法で、固定具孔４４と係合する固定具ばねクリップ６８を用いてヘッドハウジング２２に取り付けられる。
【００３２】
エンドプラグ継手３４の他端７４は、給水ライン１２に取り付けるように構成され、このようにして、典型的に、内側に螺装され、レンチやペンチによって把持される小平面付けされた外部７６が設けられる。エンドプラグ継手３４の内部は、給水ライン１２からヘッドハウジング２２の内部へ水を通すように構成された貫通孔７８を有することは言うまでもない。
【００３３】
上述したシステム１０の利点は、従来のシステムより必要とされる空間を少なくするように、少なくとも１つ、好ましくは、２つ以上のヘッドハウジング２２を給水ラインに接続でき、好ましくは、まとめて接続できることである。このように、上述したように組み立てられると、システム１０は、フィルタボウル２０が施設の床上に置かれ、壁に取り付けられないように配置できる。フィルタボウル２０の取替えまたは再充填が必要であれば、ヘッドハウジング２２は、アクセスしやすいように、外向きに旋回または回転される（図１に最良に図示）。このタイプの設置は、ボウル２０の下方に取外し用の隙間を設ける必要がある従来のシステムでは利用できないものである。
【００３４】
しかしながら、上記に挙げた利点にかかわらず、システム１０が壁に固定されるように取り付けられてよいことも考えられる。このために、壁上にアセンブリ１０を支持する支持ブラケット８０が設けられ、ポート２４、２６の対応する１つと係合するように構成される。したがって、各システム１０は、システムを壁に取り付けるために少なくとも２つのこのようなブラケット８０を必要とすることになる。３つのヘッドハウジング２２のシステム１０には、４つのブラケット８０が必要になる。
【００３５】
以下、図１、図２、および図４を参照すると、ブラケット８０は、当業者に知られているように、ブラケットを壁に固定するために、螺装された固定具、開きボルトなどを受け入れるための少なくとも１つの開口８４を有する取付け部分８２を含む。取付け部分８２には、ポート２４、２６の外周部を収容および保持するように構成された窪み８８を有するフック様の支持部分８６が取り付けられる。ポート２４、２６を保持するために、ブラケット８０は、少なくとも１つのクランプ９０を含む。クランプ９０は、孤状であることが好ましく、固定具９４を受け入れる一対の小穴９２が設けられる。好適な実施形態において、固定具９４は螺装されるが、リベット、コッタピン、または他の同様のタイプの固定具を含む他の固定具が考えられる。当業者に知られているように、固定具９４は、クランプ９０を支持部分に固定するための支持部分８６に螺装されたボス９６と係合する。
【００３６】
クランプ９０の別の機能は、それによって、対応する管状コネクタ３２またはエンドプラグ継手３４に対してそれぞれのポート２４、２６をしっかりと保持する半径方向の圧縮力がかけられるということである。クランプ９０は、隣接するヘッドハウジング２２の対応する半径方向に突出するフランジ４２を捕獲する一対の垂下縁部９８を含み、したがって、対応するコネクタまたは継手３２、３４に、隣接するヘッドハウジングをまとめて動作関係に固定する。クランプ縁部９８とフランジ４２との間の係合は、特徴の回転作用が維持されるようなものである。実際、望ましければ、隣接するヘッドハウジング２２間の接合部での本発明のシステム１０の固定装置としてＵクリップ６８を使用する代わりに、クランプ９０およびブラケット８０を使用することができる。システム１０の端部にあるＵクリップ６８の代わりに、クランプ９０およびブラケット８０が使用されれば、エンドプラグ継手３４には、クランプ９０およびブラケット８０によって係合され、そられによって入口２４に保持されるように構成されたフランジ４２に対応する形成物が設けられる必要がある。
【００３７】
再度、図３を参照すると、フィルタボウル２０にフィルタまたは処理媒体を補充することが望ましければ、任意の支持ポート５０は、開状態にされる。概して参照番号１００で示す補助的な処理デバイスは、参照により引用されたものとする特許文献１に開示されているタイプのものが好ましいＲＯユニット、ＵＶバルブ、または同様の補助的な処理技術であると考えられる。補助デバイス１００を密封した状態で適所に保持するために、本発明のシステム１０は、中央孔１０４を有する付加シール保持部１０２と、垂下する螺装されたスカート１０６とを更に含む。スカートは、ポート５０のラソウされた外壁１０８と螺合し、漏洩しないように補助的な処理デバイスの外部に対して少なくとも１つ、好ましくは、２つのＯリング６２を適所に保持する。マルチヘッドアセンブリ１０において、ヘッドハウジング２２の１つ以上に、異なる補助的な処理デバイス１００を設けてよく、または、このようなデバイスをまったく設けなくてもよいことが考えられる。したがって、３つのヘッドハウジング２２を含むアセンブリ１０は、１つのハウジング２２にＲＯユニットを含み、別のものにＵＶバルブを含み、任意の補助デバイス１００がない第３のハウジング２２を含んでよい。ヘッドハウジング２２および補助処理デバイス１００の配列および数は、用途に合わせて変更されてよく、圧力計、テストプローブおよび／または他の継手を含んでよい。
【００３８】
図５を参照すると、ヘッドハウジング２２が１つしか設けられていないシステム１０の一実施形態が示されている。この構成では、ポート２４、２６の各々に位置するエンドプラグ継手３４がある。更に、ポート４、２６の各々に設けられたクランプ９０およびブラケット８０がある。ヘッドハウジング２２およびそのフィルタボウル２０は、ブラケット８０およびクランプ９０によって両端で支持される。
【００３９】
したがって、本発明のフィルタヘッドシステム１０により、ボウルを取り替えやすいようにフィルタヘッドハウジング２２を旋回させて外す空間が制限されている場所での設置が可能になる。単一のフィルタヘッドハウジング２２は用途が広く、１つ以上のフィルタヘッド１８を用いた様々な配列に対応することがあり、また、任意の補助的な処理デバイスを特徴とすることもある。複数のユニットの設置は、工具を使用することなく達成可能である。壁への取付けが必要であれば、ドライバーなどの何らかの単純な工具が必要とされる場合がある。ヘッドハウジング２２の旋回作用にかかわらず、漏洩しない十分な密封性が与えられる。
【００４０】
本願明細書において、本発明の回転フィルタヘッドアセンブリの特定の実施形態を記載してきたが、当業者であれば、本発明から逸脱することなく、より広範な態様において、特許請求の範囲に示されるように、変更および修正がなされてよいことは認識されよう。
【図面の簡単な説明】
【００４１】
【図１】壁に取り付けられた本発明のシステムの立面斜視図である。
【図２】図１に示すシステムの一部分の部分斜視図である。
【図３】本発明の拡大正面図である。
【図４】本発明のシステムのブラケットおよびクランプの側面図である。
【図５】フィルタヘッドハウジングを１つのみ使用した本発明のシステムの別の実施形態の正面図である。
【符号の説明】
【００４２】
１２  給水ライン
１８  フィルタヘッド
２０  フィルタボウル
２２  ヘッドハウジング
２４  入口ポート
２６  出口ポート
２８  中央チャンバ
３０  ボウル接続開口
３２  管状コネクタ
３４  エンドプラグ継手
３６  固定手段
４２  エンドフランジ
４４  固定具孔
５０  補助ポート
５８  固定具溝
６８  ばねクリップ
８０  ブラケット
９０  クランプ
【図１】
2005518934.tif 000003
【図２】
2005518934.tif 000004
【図３】
2005518934.tif 000005
【図４】
2005518934.tif 000006
【図５】
2005518934.tif 000007
【国際調査報告】
2005518934.tif 000008
2005518934.tif 000009